(57)【要約】      （修正有）【課題】刺繍の際の針を用いずに、また、粘着面に手などが触れて接着することなく糸をカンバスに貼り付けていくだけで誰でも簡単に絵画が描ける糸を用いた絵画用カンバスを提供する。【解決手段】板状のベース材２の一方面に下絵紙４を貼り付けて絵柄が描かれた絵柄形成面とし、この絵柄形成面上に、透視可能な接着層５、この透視可能な接着層に対して着脱自在となるカバーシート６の順に積層して形成され、前記カバーシートは前記ベース材より若干大きくベース材の周囲より外側に少しだけ突出する部分を有する構成を採用した糸を用いた絵画用カンバス１。【選択図】図１
0003183394.tif 000002
【実用新案登録請求の範囲】
【請求項１】
板状のベース材の一方面を絵柄が描かれた絵柄形成面とし、この絵柄形成面上に、透視可能な接着層、この透視可能な接着層に対して着脱自在となるカバーシートの順に積層して形成され、前記カバーシートは前記ベース材より若干大きくベース材の周囲より外側に少しだけ突出する部分を有することを特徴とする糸を用いた絵画用カンバス。
【請求項２】
板状のベース材の一方面に、接着層、剥離紙の順に積層して形成したベース部と、カバーシートの一方面に、このカバーシートが着脱自在となる透視可能な接着層、剥離紙を積層して形成したカバー部と、必要に応じて用意された、表面に絵柄が描かれた下絵紙とからなり、前記カバーシートは前記ベース材より若干大きく重ねた時にベース材の周囲より外側に少しだけ突出することを特徴とする糸を用いた絵画用カンバス。
【考案の詳細な説明】
【技術分野】
【０００１】
この考案は、糸を用いた絵画を誰でも簡単に仕上げることができる絵画用カンバスを提供するものである。
【背景技術】
【０００２】
従来、種々ある絵画の制作方法の１つとして糸を使用したものがあり、糸を使用した技法としては、刺繍糸を用いて布に縫い込むいわゆる刺繍というのが一般的に行われているものである。
【０００３】
最近は、カンバスに着色された糸を接着して固定ゆくことで所定の図柄を表現していく手法が知られており、貼り付ける糸を複数色用意し、適宜選択してカンバスに貼り付けることで、カンバス上に絵画を表現することができる。
【０００４】
これら糸をカンバスに貼り付けるものとして、例えば、絹糸を両面接着テープを用いてカンバスに貼り付けてゆく方法がある（例えば、特許文献１参照）。
【０００５】
また、写真等を倣って糸による絵画を得るために、特許文献１のようなカンバスの粘着層の上面に例えば写真を原図として貼り付け、原図に現れた同一色の集合した部分のみカッターで切り取り、そこに現れた接着面に原図の色と類似する糸を貼っていくことで、写真などの原図に忠実に絵画を仕上げる手法もある。
【０００６】
また、ベース材の表面に粘着材層を介して剥離紙が貼設され、剥離紙と粘着材層に切り込みが入れられており、剥離紙を切り込みに沿って切り離し、切り込まれた図柄に沿って糸を周囲から順に内側に巻くように接着して所定の図柄を表現することで、誰でも簡単に装飾体を仕上げられるようにしたものが知られている（例えば、特許文献２参照）。
【０００７】
上記した特許文献１や特許文献２のやり方は、糸を貼り付ける際は切り込みを外し、露出している粘着層に糸を貼っていくものであるが、下絵上に接着材を設け、次いで接着材の上面に装飾材を貼着することで、初心者でも下絵を目して参考にしながら簡単に手芸ができる方法が提案されており、この装飾材としては糸を用いることもある（例えば、特許文献３参照）。
【特許文献１】特開平８−１８３３００号公報（請求項１、図１）
【特許文献２】特許第２７６０３９０号公報（段落００１８、図１）
【特許文献３】特開昭５３−４０３５６号公報（第１頁特許請求の範囲）
【考案の概要】
【考案が解決しようとする課題】
【０００８】
ところで、従来の布地に刺繍を行う手法の場合は、針を用いるために糸通しの不便さや作業時の安全性に難点があった。
【０００９】
一方、刺繍を用いずにカンバスに糸を貼り付ける特許文献１の手法の場合、絹糸の貼り付け作業中に、まだ糸を貼り付けていない粘着面に対して、作業者の手や衣服、又は未だ貼り付ける予定のない糸が触れて接着してしまったりするので、粘着面に注意して作業しなければならないという煩わしさがあった。
【００１０】
また、粘着層の上面に写真を貼り付け、写真に現れた同一色の集合した部分のみカッターで切り取り、現れた接着面に写真の色と類似する糸を貼っていく手法は、特許文献２のような既製の切り込みが入れられたものよりも原図の選択肢も多く、写真に合わせて細かな部分毎に糸の貼り付け作業が可能であり、多彩な表現が可能となる等利点があるが、切り込みのための作業に大きな手間がかかることも不便であり、また、カッター刃を使うために危険であった。
【００１１】
更に、剥がした接着面に写真の色彩が残っていないので、剥がした原図を一々確認して糸の色を選択しなければならないといった手間があった。
【００１２】
また、特許文献２の手法の場合、糸を貼る作業は所定の切り込みに沿って剥がした部分について順次行えばよいので、手が作業部分以外に触れても接着してしまうことは少ないが、各切り込み部分が単一色の糸で埋められてイラスト風の絵画となってしまうなど、切り込みによる細やかな部分の表現に限界があった。
【００１３】
また、特許文献３のように、下絵上の接着材に糸などの装飾材を貼り付けるものについては、貼り付け作業が下絵を見ながらできるので作業が容易であるが、まだ糸を貼り付けていない粘着面に対して、作業者の手や衣服、又は未だ貼り付ける予定のない糸が触れて接着してしまったりするので、粘着面に注意して作業しなければならないという煩わしさがあった。
【００１４】
更に、特許文献１乃至３のように粘着材を用いるものは、作業中断中における放置された粘着剤への空気中のゴミの付着についても注意しなければならなかった。
【００１５】
そこでこの考案の課題は、糸を用いた絵画用カンバスにおいて、刺繍の際の針を用いずに糸をカンバスに貼り付けていくだけで誰でも簡単に絵画が描けるようにできると共に、作業中に粘着面に手などが触れて接着したりゴミが付着することなく作業が行えるようにした絵画用カンバスを提供することを課題とする。
【課題を解決するための手段】
【００１６】
上記のような課題を解決するため、請求項１の考案は、板状のベース材の一方面を絵柄が描かれた絵柄形成面とし、この絵柄形成面上に、透視可能な接着層、この透視可能な接着層に対して着脱自在となるカバーシートの順に積層して形成され、前記カバーシートは前記ベース材より若干大きくベース材の周囲より外側に少しだけ突出する部分を有する構成を採用した糸を用いた絵画用カンバスである。
【００１７】
ここで、絵柄形成面としては、ベース材の一方面に絵柄が描かれた下絵紙を粘着層を介して貼り付けるか、又は、ベース材の一方面に絵柄を印刷、現像等の手法で描くことなどで形成される。
【００１８】
透視可能な接着層としては、透明又は半透明の接着剤を塗布したり、シート状の透明又は半透明な両面接着シートを用いて形成される。
【００１９】
カバーシートとしては、透視可能な接着層に対して接着、離脱自在で再接着も可能な合成樹脂シートか、又は紙や布の表面に合成樹脂膜を形成したものが挙げられ、合成樹脂シート、紙、布などのシート材の表面に離型処理を施したものでもよい。
【００２０】
また、カバーシートにこのカバーシートを小分けするような各区間の周囲に切断が容易な切断補助線を入れておけば、糸貼り作業を行う区画のみカバーシートを順次取り去って作業を行うことで、糸貼り作業済区画にはカバーシートが存在せず、未作業区画の接着層上にはカバーシートが残るようになる。即ち、作業を再開する際に作業区間のみカバーシートを取り去れば良く、カバーシート全体を大きく捲る必要がなくなる。
【００２１】
請求項２の考案は、板状のベース材の一方面に、接着層、剥離紙の順に積層して形成したベース部と、カバーシートの一方面に、このカバーシートが着脱自在となる透視可能な接着層、剥離紙を積層して形成したカバー部と、必要に応じて用意された、表面に絵柄が描かれた下絵紙とからなり、前記カバーシートは前記ベース材より若干大きく重ねた時にベース材の周囲より外側に少しだけ突出する構成を採用した糸を用いた絵画用カンバスである。
【００２２】
ここで、ベース部の剥離紙とカバー部の剥離紙を剥がして現れた両接着層間に、下絵紙を絵柄が描かれた面をカバー部側にして挟むことで絵画用カンバスが形成されるが、下絵紙としては、写真やイラストが描かれた印刷物、写真が現像された印画紙、手書き絵画、コピー済用紙等、適宜なものを選択して用いることができる。
【考案の効果】
【００２３】
請求項１の考案の糸を用いた絵画用カンバスによれば、糸を貼り付ける作業に当たり、刺繍のような刺繍針を用いず、原画に倣った切り込みを行うためのカッター刃を用いることもなく、安全に糸貼りに専念しての作業が可能である。
【００２４】
また、下絵を目視して色を確認しながら下絵に倣って糸の貼り付けを行うことができるので、写真を剥がしていく技法のように剥がした原図の色を一々確認する必要がない。
【００２５】
また、糸貼り作業を行う部分のみカバーシートを接着層から剥がしてゆくようにすれば、未制作部分の接着層はカバーシートにより保護されたままになり、作業者の手や衣服などが接着して作業が煩わしくなるといったことがない。
【００２６】
更に、制作途中には接着層の粘着面をカバーシートにより再度覆うことで、まだ糸を貼っていない露出した粘着面を保護することができ、また、カバーシートはベース材より若干大きくベース材の周囲より外側に少しだけ突出する部分を有しているため、この突出部分を摘んでカバーシートを捲りやすくなる。
【００２７】
次に、請求項２の糸を用いた絵画用カンバスによれば、請求項１と同じ効果が得られると共に、別体となっていた下絵紙として任意のものを選ぶことができるので、個人の嗜好に合わせた絵画、写真等を下絵紙としても用いることができるようになる。
【考案を実施するための形態】
【００２８】
図１は、この考案の絵画用カンバス１の断面図であり、板状のベース材２の上に、接着層３、下絵紙４、透視可能な接着層５、カバーシート６の順に積層された状態となっている。
【００２９】
ベース材２は、板状体で、その材料は特に限定されるものではなく、発泡ポリスチレン、厚紙、布、木、金属、プラスチック等やこれらの組み合わせが挙げられ、その厚みは特に限定されず、また若干の曲がりを許容して復元する程度の柔軟性があってもよい。
【００３０】
接着層３は、このベース材２のほぼ全面を覆うように設けられ、接着剤を塗布して形成しても、シート状の両面接着シートを貼り付けることにより構成したものでもよい。
【００３１】
下絵紙４は、接着層３によりベース材２に貼り付けられており、透視可能な接着層５側が重ねられる表面側が、下絵となる絵画、写真、イラスト、又はデザイン画などの模様からなる絵柄８がカラーで現された絵柄形成面となり、この表現方法は印刷によるのが一般的であるが、写真印画紙に現像により写真が現されたものや、その他周知技術により模様が描かれたものであってもよい。
【００３２】
なお、この実施形態では、下絵が描かれた下絵紙４をベース材２に接着層３を介して接着固定することでベース材２の上面側に絵柄形成面を形成したが、ベース材２の材質によっては、ベース材２の上面に直接下絵を印刷等により描いて絵柄形成面を形成するようにしてもよい。
【００３３】
接着層５は、接着層３と同様に両面に接着効果を有するものであるが、下絵紙４の表面に現された模様を反対側から視認できるように、全体が透明或いは半透明のもので透視可能なものであり、例えば、透明・半透明な接着剤を塗布して形成したり、透明な両面接着シートを貼り付けることにより構成したものが用いられる。
【００３４】
カバーシート６は、可撓性を有する材質からなり、透視可能な接着層５に対して接着し、比較的小さな力でこの接着層５から剥がすことができ、また、接着層５に何度でも再接着させることが可能で、例えば各種合成樹脂製フィルム、又は紙や布の表面に合成樹脂膜を形成したものが挙げられ、素材自体が接着層５に対して着脱自在であるものを用いる他、表面に離型処理を施して接着層に対して着脱自在としてもよい。
【００３５】
このカバーシート６の色は特に限定されないが、透明であれば糸を貼り付ける作業途中の仕上がり具合がカバーシート６を剥がすことなく確認することができる。
【００３６】
なお、図示のように、カバーシート６をベース材２より若干大きくし、ベース材２の周囲より外側に少しだけ突出する部分を設けておけば、この部分を摘んでカバーシート６を捲りやすくなる。
【００３７】
図２乃至図４は、この考案のカンバス１を用いた絵画の制作状況を示すもので、まず、カバーシート６を、そのベース材２から突出した部分を摘んで捲り返すようにして接着層５から剥がし、この接着層５の表面に、透視された下絵紙４に描かれた絵柄８に倣って選んだ糸７を貼り付けてゆく（図２、図４）。
【００３８】
糸７としては、着色された糸であれば特に限定されないが、絵画として使用する際のその表面光沢の美しさから絹糸を用いるのが好ましく、また、透視可能な接着層５を通じて視認される下絵紙４の絵柄８の色彩に応じた色彩の糸７を貼り付けて絵画的表現を求めるので、例えば１２〜２４色程度を色彩の糸を用意しておくことが好ましい。
【００３９】
この作業時、端から糸７を貼る作業を行う部分に合わせて順次カバーシート６を剥がしてゆくようにすれば、未制作部分の接着層５はカバーシート６により保護されたままになり、作業者の手や衣服などに接着して作業が煩わしくなるといったことがない。
【００４０】
また、糸貼り作業を中断する際は、再度カバーシート６を接着層５に貼り戻すことにより、接着層５の接着面を常に保護状態に維持することができる（図３）。
【００４１】
図５は、この考案の他の実施形態の絵画用カンバス１１を示す断面図であり、板状のベース材１２の図示上面に、接着層１３、剥離紙１７の順に積層したベース部１８を形成する。
【００４２】
このベース部１８に用いられるベース材１２及び接着層１３は、先の実施形態のベース材２及び接着層３と同様であり、その機能、作用は説明を省略する。
【００４３】
また、カバーシート１６の図示下面に、透視可能な接着層１５と剥離紙１９を順に積層したカバー部２０を形成する。
【００４４】
このカバー部２０に用いられるカバーシート１６及び接着層１５は、先の実施形態のカバーシート６及び接着層５と同様であり、その機能、作用は説明を省略する。
【００４５】
また、これらベース部１８とカバー部２０とは別に下絵紙１４が必要に応じて用意され、この下絵紙１４も、先の実施形態の下絵紙４と同様であり、その機能、作用は説明を省略する。
【００４６】
これらベース部１８、カバー部２０、及び下絵紙１４を用いて絵画用カンバス１１を完成する方法を説明すれば、まずベース部１８の剥離紙１７を剥がして接着層１３を露出させ、この接着層１３に下絵紙１４の絵柄８が形成された面の反対側を接着する。
【００４７】
次に、カバー部２０の剥離紙１９を剥がして接着層１５を露出させ、この接着層１５の接着面を下絵紙１４の絵柄８が形成された面に重ねて接着する。
【００４８】
すると、板状のベース材１２の上に、接着層１３、下絵紙１４、透視可能な接着層１５、カバーシート１６の順に積層された状態の絵画用カンバス１１となり、図１で示したベース材２、接着層３、下絵紙４、透視可能な接着層５、カバーシート６の順に積層された状態の絵画用カンバス１と同様の構成となり、図２乃至図４で示したのと同様の手法により糸７を貼り付けて絵画作成をすることができる。
【００４９】
なお、この実施形態の場合、ベース部１８、カバー部２０、及び種類の異なる絵柄の下絵紙１４の複数枚を組み合わせて流通及び販売し、購買者が複数枚の下絵紙１４から適宜気に入った絵柄の下絵紙１４を選択してベース部１８及びカバー部２０に貼り付けることで絵画用カンバス１１を形成することができる。
【００５０】
また、下絵紙１４としては、予めベース部１８やカバー部２０とセットして販売されていたものを用いずとも、購買者が別途用意したものを下絵紙１４として用いれば、自由に絵柄を選ぶことができる。
【００５１】
下絵紙１４としては、例えば、写真やイラストが描かれた印刷物、写真が現像された印画紙、手書き絵画、コピー済用紙など薄いシート状のものであれば種々のものが該当するが、特に購買者が所有している個人的な写真を、最近普及したインクジェットプリンターにより低コストで印刷した用紙等を用いることで、個人の思い入れのあるものや、嗜好に合った絵画を制作するがことができるようになる。
【００５２】
図６は、この考案の他の実施形態の絵画用カンバス２１を示す断面図であり、この実施形態では、カバーシート２２に他の実施形態に無い特徴を有しており、その他の部分は図１乃至図４に示す実施形態における板状のベース材２、接着層３、下絵紙４、接着層５と同様であり説明を省略する。
【００５３】
この実施形態のカバーシート２２は、カバーシートを小分けするような各区間の周囲に切断が容易な切断補助線２３が縦横直線状に碁盤の目の如く入っており、またカバーシートの周囲の切断補助線２３の延長線上には、この切断補助線に続いて切り込み２４が入っている。
【００５４】
切断補助線２３としては、小さな力で簡単にシートを切断できるように、微小寸法の切れ目を間隔を空けて連続して設ける所謂ミシン目状にするか、切断補助線２３の部分でカバーシート２２をハーフカットしておくか、又は、ハーフカットにしてハーフカット部分に所定間隔のミシン目状のフルカット部分を形成する等をすればよい。
【００５５】
この実施形態の場合、糸貼り作業を行う区画のみカバーシート２２を順次取り去ってから糸貼り作業を行うことで、糸貼り作業済区画にはカバーシート２２が存在せず、カバーシート２２を捲っておく必要が無いと共に、未作業区画の接着層５上にはカバーシートが残っており、この未作業部分に手や糸が接着してしまうことが無くなる。
【００５６】
また、一旦作業を中止後してから作業を再開する際には、作業済み部分はカバーシート２２が取り除かれており、この作業済み部分に隣接する作業区間のみカバーシート２２を切断補助線２３を利用して取り去ってから糸貼り作業をすれば良く、他の実施形態のように、カバーシート２２全体を大きく捲って保持しながら作業をする必要がなくなる。
【００５７】
なお、この実施形態ではカバーシート２２以外の部分は図１乃至図４に示す実施形態と同様として説明したが、図５に示す実施形態と同様の、ベース材１２、接着層１３、剥離紙１７からなるベース部１８と、このカバーシート２２の下面に、透視可能な接着層１５と剥離紙１９を順に積層したカバー部、及び、必要に応じて用意される下絵紙１４の組み合わせとしてもよい。
【図面の簡単な説明】
【００５８】
【図１】この考案の絵画用カンバスの一実施形態を示す断面図である。
【図２】この考案の絵画用カンバスを用いた絵画の制作過程を示す一部拡大断面図である。
【図３】この考案の絵画用カンバスを用いた絵画の制作過程を示す一部拡大断面図である。
【図４】この考案の絵画用カンバスを用いた絵画の制作過程を示す斜視図である。
【図５】この考案の絵画用カンバスの他の実施形態を示す断面図である。
【図６】この考案の絵画用カンバスの他の実施形態を示す斜視図である。
【符号の説明】
【００５９】
１  絵画用カンバス
２  ベース材
３  接着層
４  下絵紙
５  接着層
６  カバーシート
７  糸
８  絵柄
１１  絵画用カンバス
１２  ベース材
１３  接着層
１４  下絵紙
１５  接着層
１６  カバーシート
１７  剥離紙
１８  ベース部
１９  剥離紙
２０  カバー部
２１  絵画用カンバス
２２  カバーシート
２３  切断補助線
２４  切り込み
【図１】
0003183394.tif 000003
【図２】
0003183394.tif 000004
【図３】
0003183394.tif 000005
【図４】
0003183394.tif 000006
【図５】
0003183394.tif 000007
【図６】
0003183394.tif 000008